(57)【特許請求の範囲】
【請求項１】
光線力学的治療に使用される光照射装置であって、
６３０ｎｍ付近の波長域内に比較的大きな吸収係数を持つ感光剤の吸収波長に適合した波長の光を放射するメタルハライドランプと、
該メタルハライドランプからの放射光を集光するミラーと、
上記感光剤を集積させた治療対象物に対して、インターバルをとった間欠照射により腫瘍細胞中に酸素が補給されるように前記放射光を所定の時間間隔で遮断するためのシャッター機構及び該シャッター機構に連動したタイマー機構とからなる時分割手段、
を具備したことを特徴とする光線力学的治療用光照射装置。
【請求項２】
前記メタルハライドランプが、６００ｎｍ乃至６４０ｎｍ、及び６６０ｎｍ乃至７２０ｎｍの波長域の光を放射するものであって、発光元素としてＬｉを０．１μｍｏｌ／ｃｍ3 以上１００μｍｏｌ／ｃｍ3以下封入し、Ｎｅ，Ａｒ，Ｋｒ，Ｘｅの希ガスのうち、少なくとも一種類以上のガスを０．０３×１０5Ｐａを超え０．７×１０5Ｐａ未満の圧力で封入し、ハロゲンを封入したメタルハライドランプであることを特徴とする請求項１に記載の光線力学的治療用光照射装置。
【請求項３】
前記メタルハライドランプが、６００ｎｍ乃至６４０ｎｍの波長域の光を放射するものであって、発光元素としてＮａを０．１μｍｏｌ／ｃｍ3 以上封入し、Ｎｅ，Ａｒ，Ｋｒ，Ｘｅの希ガスのうち、少なくとも一種類以上のガスを封入し、ハロゲンを封入したメタルハライドランプであることを特徴とする請求項１に記載の光線力学的治療用光照射装置。
【請求項４】
前記メタルハライドランプが、発光元素としてＬｉ、Ｎａの二種類を封入し、Ｎｅ，Ａｒ，Ｋｒ，Ｘｅの希ガスのうち、少なくとも一種類以上のガスを封入し、ハロゲンを封入したメタルハライドランプであることを特徴とする請求項１に記載の光線力学的治療用光照射装置。
【請求項５】
前記メタルハライドランプが、６００ｎｍ乃至８００ｎｍの波長域内のアルカリ金属による輝線スペクトルの圧力広がりを希ガスのみ封入した場合よりも広げるために水銀を封入したメタルハライドランプであることを特徴とする請求項２から請求項４のいずれかに記載の光線力学的治療用光照射装置。
【請求項６】
治療対象物に５分間の連続照射と５分間以上１０分間以下の連続非照射を交互に繰り返して放射光を照射するようにしたことを特徴とする請求項１に記載の光線力学的治療用光照射装置。
【発明の詳細な説明】
【０００１】
【発明の属する技術分野】
本発明は、光線力学的治療用光照射装置に関するものであり、更に詳しくは、レーザー光を用いた従来の光線力学的治療方法における問題点を解決することを可能とする、メタルハライドランプを用いた、癌、又は腫瘍などの光線力学的治療に用いられる光線力学的治療用光照射装置に関する。
【０００２】
【従来の技術】
従来、癌、又は腫瘍などの治療の一手段として、光線力学的治療（Ｐｈｏｔｏｄｙｎａｍｉｃ  Ｔｈｅｒａｐｙ：以下ＰＤＴと略称する）が使われている。
このＰＤＴでは、感光剤となるある種の薬品を体内に投与するか、又は前記癌、又は腫瘍などの患部に塗布することにより、該薬品自身あるいは体内代謝によって生成された物質を前記患部に選択的に集積させる。この集積された部分に特定波長の光を照射することにより光化学反応を生起させ、活性酸素を生成させたり特殊なラジカルを生成させたりして、これにより患部を治療する。光化学反応によって生成された活性酸素等は、組織の細胞を酸化等により壊死させ、結果として前記の癌、又は腫瘍などの治療が行われる。また、該感光剤が光を吸収して発生する活性種としては、特に一重項酸素の発生に十分なエネルギーを与えることが望ましく、照射される光エネルギーとしては、波長８００ｎｍ以下でなければならない。そして、活性酸素等を発生させるために照射される光は、人体組織の中に比較的奥深く入り込める波長域の光が求められ、約６００ｎｍ以上の波長であることが必要である。該ＰＤＴ治療方法は、癌や腫瘍以外にウイルス性の疣や伝染性の水疣等にも治療効果を持つ。
【０００３】
従来のＰＤＴ装置としては、例えば、感光剤としてヘマトポルフィリン誘導体を用い、光源としてエキシマレーザで励起される色素レーザを用いた装置が報告されている（特開昭５９ー４０８３０号公報）。
更に、従来の該ＰＤＴ治療方法で用いられるその他の光源には、治療用としてＹＡＧレーザ励起色素レーザや半導体レーザ、また、必要な波長の光を選択的にろ過したキセノンランプ等が用いられている。
【０００４】
しかし、治療用光源として主に用いられていた色素レーザ等の高出力レーザでは、レーザ光のビーム径が非常に小さなものであることから、大面積に照射する場合には長時間の照射が必要となり患者に多大な負担をかける。また、該レーザ光が誤って正常組織に照射された場合、エネルギー密度が高いため、非常に大きなダメージを与える。また、装置が非常に大掛かりであり、可搬性がなく、患者が装置の設置された場所まで移動しなくてはならず、大きな負担を与えていた。更に、価格も高く、取り扱いが大変であり、その操作に専門のオペレータが必要であるなど、種々の問題があった。
【０００５】
一方、半導体レーザや発光ダイオード等も用いられているが、いずれも十分な出力が得られず、前記の感光剤が十分に機能しない場合や比較的大きな面積を照射しなければならない場合には、照射に非常に長時間を要するといった問題があった。
また、Ｘｅ放電ランプやハロゲン電球等が用いられることもあった。しかし、該Ｘｅランプやハロゲン電球の発光スペクトルは、短波長側の光から長波長側の光までの広い波長域にわたって連続的に分布しているのに対して、感光剤の吸収帯の波長域は比較的狭いものである。そのため、ランプの発光に寄与する電力のうち極めて低い比率のエネルギーしか該感光剤に吸収されず、その大部分は癌や腫瘍といった患部へ到達しないことになる。その結果、Ｘｅランプやハロゲン電球は消費電力が高い割には治療効果が低く、非常に長時間の照射が必要となる等、患者に多大な負担をかけていた。
【０００６】
一方、十分な治療効果を得るには、感光剤の吸収する光エネルギーを高くするために、ランプ自身を高電力化しなければならず、操作の簡便性が著しく低下すると共に排熱処理も含めて非常なコストアップになるという問題があった。更に、Ｘｅランプやハロゲン電球は、人体組織の極表面近くまでしか入らない波長域の光（６００ｎｍ以下）、及び熱感を与える光（８００ｎｍ以上）を大量に含んでいる。従って、該感光剤の該吸収帯の波長域である必要な光以外にも該波長域の光の放射強度と同等の放射強度の光が放射されており、例えば、フィルタ等でろ過しても該放射光の一部が直接患部に照射され患者に熱感を与えるといった問題があった。そして、従来のＰＤＴ用照射装置においては，連続的に放射光の照射を行っていた。
【０００７】
【発明が解決しようとする課題】
このような状況の中で、本発明者らは、上記従来技術に鑑みて、上記従来技術の問題点を確実に解消し得る新しい技術を開発することを目標として鋭意研究を進める過程で、連続的な照射であると、患者に光が照射される時間が長くなるため、患者にとって苦痛となるばかりでなく、また、光照射時間あたりの腫瘍細胞除去数が少なく、治癒速度が遅いこと、を知見すると共に、メタルハライドランプからの特定波長の光を使用することで高い殺細胞効果が得られ、しかも、連続照射よりもインターバル照射の方が殺細胞効果が高い等の知見を得て、本発明を完成するに至った。
即ち、本発明は、患者の苦痛が小さく、腫瘍細胞除去速度が早い光線力学的治療用装置を提供することを目的とする。
【０００８】
【課題を解決するための手段】
上記課題を解決するための本発明は、以下の技術的手段から構成される。
（１）光線力学的治療に使用される光照射装置であって、
６３０ｎｍ付近の波長域内に比較的大きな吸収係数を持つ感光剤の吸収波長に適合した波長の光を放射するメタルハライドランプと、
該メタルハライドランプからの放射光を集光するミラーと、
上記感光剤を集積させた治療対象物に対して、インターバルをとった間欠照射により腫瘍細胞中に酸素が補給されるように前記放射光を所定の時間間隔で遮断するためのシャッター機構及び該シャッター機構に連動したタイマー機構とからなる時分割手段、
を具備したことを特徴とする光線力学的治療用光照射装置。
（２）前記メタルハライドランプが、６００ｎｍ乃至６４０ｎｍ、及び６６０ｎｍ乃至７２０ｎｍの波長域の光を放射するものであって、発光元素としてＬｉを０．１μｍｏｌ／ｃｍ3 以上１００μｍｏｌ／ｃｍ3以下封入し、Ｎｅ，Ａｒ，Ｋｒ，Ｘｅの希ガスのうち、少なくとも一種類以上のガスを０．０３×１０5Ｐａを超え０．７×１０5Ｐａ未満の圧力で封入し、ハロゲンを封入したメタルハライドランプであることを特徴とする前記（１）に記載の光線力学的治療用光照射装置。
（３）前記メタルハライドランプが、６００ｎｍ乃至６４０ｎｍの波長域の光を放射するものであって、発光元素としてＮａを０．１μｍｏｌ／ｃｍ3 以上封入し、Ｎｅ，Ａｒ，Ｋｒ，Ｘｅの希ガスのうち、少なくとも一種類以上のガスを封入し、ハロゲンを封入したメタルハライドランプであることを特徴とする前記（１）に記載の光線力学的治療用光照射装置。
（４）前記メタルハライドランプが、発光元素としてＬｉ、Ｎａの二種類を封入し、Ｎｅ，Ａｒ，Ｋｒ，Ｘｅの希ガスのうち、少なくとも一種類以上のガスを封入し、ハロゲンを封入したメタルハライドランプであることを特徴とする前記（１）に記載の光線力学的治療用光照射装置。
（５）前記メタルハライドランプが、６００ｎｍ乃至８００ｎｍの波長域内のアルカリ金属による輝線スペクトルの圧力広がりを希ガスのみ封入した場合よりも広げるために水銀を封入したメタルハライドランプであることを特徴とする前記（２）から（４）のいずれかに記載の光線力学的治療用光照射装置。
（６）治療対象物に５分間の連続照射と５分間以上１０分間以下の連続非照射を交互に繰り返して放射光を照射するようにしたことを特徴とする前記（１）に記載の光線力学的治療用光照射装置。
【０００９】
【発明の実施の形態】
次に、本発明について更に詳細に説明する。
図１に本発明の光照射装置３０の具体的な一例について示す。図１中、光照射装置３０は、スタンドユニット１２の台上に載置されたランプハウス２０と該ランプハウス２０からランプの放射光を外へ取り出すファイバー１０と、そのファイバー１０の先端に取り付けられ、患部を照射するレンズヘッド１３からなる。図２にランプハウス２０の内部構成の一例を示す。点灯用電源３を具えたランプハウス２０内に集光ミラー２付きの放電ランプ１を配置し、該放電ランプ１の光は、該ランプ１からの放射光のうち必要な波長の光のみを透過するために配置された２種のフィルタ５、６を介して光ファイバー１０に入射する。
４はソレノイド７によって開閉されるシャッターであり、タイマー９と接続されて、所定の間隔で開閉されるように構成されている。８はソレノイド用電源、１４は冷却ファンである。
図１において、光ファイバー１０に入射された光は、該ファイバー１０の他端に取り付けられたレンズヘッド１３により目的とする患部へ照射される。放電ランプとしては、好適には、５５０ｎｍ乃至８００ｎｍに主なる放射スペクトルを持つショートアーク型メタルハライドランプが用いられる。また、前記のフィルタはＰＤＴ用では波長８００ｎｍ以上の長波長側の光と５５０ｎｍ以下の短波長側の光を減衰させる。このフィルタは用途及び感光剤の種類により適宜選択される。該フィルタによりろ過された光は、後述する各感光剤、例えば、５−ａｍｉｎｏｌｅｖｏｕｌｉｎｉｃ  ａｃｉｄ用やＰｈｏｔｏｐｒｉｎ用に使用できる仕様とする。尚、この一例では透過型のフィルタを使用した例を示したが、該部分はランプからの光を選択的に目的とする照射部へ導く光学部品であれば良く、例えば、干渉膜をコートした反射型ミラーやプリズム、波長選択型の光導波路等、種々の構成をとることができる。
【００１０】
本発明の一例として、前記光源装置ではショートアーク型放電ランプを示したが、ランプの形態は該装置の構成によって種々の形態が取られる。すなわち、該ランプとしては、ショートアーク型放電ランプ、無電極放電ランプ等の形態が取られる。例えば、体内に光ファイバー等で光を導き治療する場合は、集光性の高いショートアーク型放電ランプが適している。また、該ランプの点灯方式としては、直流点灯、交流点灯、更には、誘導結合あるいは容量結合による高周波点灯、マイクロ波等によって、又はそれらの複合的な電力入力による点灯形式を取ることができる。
【００１１】
前記装置を用いて照射される感光剤としては、代表的なものとして、大別するとヘマトポルフィリン誘導体系、フタロシアニン系、５−ａｍｉｎｏｌｅｖｕｌｉｎｉｃ  ａｃｉｄ（以下５−ＡＬＡと略称する) 系のものなどがある。これらの感光剤には種々の副作用を持つ場合があり、使用時の患者への負担等が大きいものもある。例えば、ヘマトポルフィリン誘導体では体内への投与後自然排出されるまでに数週間かかるため、投与後数週間程度は暗室等で過ごす等、該感光剤が集積した患部部分を光から遮断する必要がある。最近の研究により該副作用等が小さいものも開発されており、体内への投与後自然排出される期間が短いものとしては５−ＡＬＡ等がある。また、該感光剤は人体に対して毒性や副作用がないことが好ましく、毒性等があってもごく軽いことが求められている。更に、癌や腫瘍などの細胞へ選択的に集積する度合いが高いことや、癌等の細胞に集積した該感光剤に光を照射した場合光化学的に発生する活性種の発生量子効率が高いことが望ましい。
【００１２】
これらの感光剤には個々に特有の感光波長があり、特定波長域で比較的大きな吸光係数を持つ。治療は前記した組織に集中的に浸透しうる等の理由から６００ｎｍ乃至８００ｎｍの波長域、特に６３０ｎｍ付近の特定波長域内に存在する吸収波長帯の波長を持つ光を照射することによって行われる。特に、本発明における放電ランプから放射される強度の強い発光波長である６００ｎｍ乃至８００ｎｍの間に比較的大きな吸光係数をもつ感光剤としては、例えば、Ｈａｅｍａｔｏｐｏｒｐｈｙｒｉｎ−誘導体（Ｐｈｏｔｏｐｈｒｉｎ等）、５−ＡＬＡ（５−ａｍｉｎｏｌｅｖｕｌｉｎｉｃ  ａｃｉｄ）、５−ＡＬＡからの誘導体ＰｐＩＸ（ＰｒｏｔｏｐｏｒｐｈｙｒｉｎＩＸ），Ｐｈｅｏｐｈｏｒｂｉｄｅ  ａ、Ａ１ＰｃＳ４（Ａｌｕｍｉｎｉｕｍ  ｐｈｔｈａｌｏｃｙａｎｉｎｅ  ｔｅｔｒａｓｕｌｐｈａｔｅ），ＳｎＥＴ２（Ｔｉｎ  ｅｔｉｏｐｕｒｐｕｒｉｎ）、ＺｎＯＰＰｃ（Ｚｉｎｃ（ＩＩ）−ｏｃｔａｄｅｃｙ１−ｐｈｔｈａｌｏｃｙａｎｉｎｅ) ，Ｐｕｒｐｒｉｎ−ｉｍｉｄｅ、Ａｚａｃｈｌｏｒｉｎ、ＺｎＥＴ２（Ｚｉｎｃ  ｅｔｉｏｐｕｒｐｕｒｉｎ），Ｐｃ（Ｐｈｔｈａｌｏｃｙａｎｉｎｅ），ＣｄＴＸ（Ｃｄ2 + ｔｅｘａｐｈｙｒｉｎ），ｔｅｘａｐｈｙｒｉｎ、ＺｎＴＮＰ（Ｚｎ−Ｔｅｔｒａｐｈｐｔａｌｏｐｏｒｐｈｙｒｉｎ），Ｖｅｒｄｉｎ，ＢＰＤ−ＭＡ（Ｂｅｎｚｏｐｏｒｐｈｙｒｉｎ  ｄｅｒｉｒａｔｉｖｅ  ｍｏｎｏａｃｉｄ  ｒｉｎｇ  Ａ），Ｐｕｒｐｒｉｎ，ＺｎＴＳＰｃ，Ｇａ−Ｐｃ（Ｇａ−Ｐｈｔｈａｌｏｃｙａｎｉｎｅ），Ｉｎ−Ｐｃ（Ｉｎ−Ｐｈｔｈｌｏｃｙａｎｉｎｅ），ＢＰＤ（Ｂｅｎｚｏｐｏｒｐｈｙｒｉｎ  ｄｅｒｉｖａｔｉｖｅｓ），ＣＡＳＰｃ，ＺｎＰｃ（Ｚｉｎｃ  Ｐｈａｔｈａｌｏｃｙａｎｉｎｅ  ｄｅｒｉｖａｔｉｖｅｓ），Ａ１ＳＰｃ（Ａｌｕｍｉｎｉｕｍ  ｓｕｌｐｈｏｎａｔｅｄＰｈｔｈａｌｏｃｙａｎｉｎｅ），Ｂｅｎｚｏｐｏｒｐｈｙ派生体、Ｎｐｅ６（Ｎ−ａｓｐａｒｔｙ１  Ｃｈｌｏｒｉｎ  ｅ６）、Ｍｅｔｈｙｌｅｎｅ  ｂｌｕｅ、Ｖｅｒｔｅｐｏｒｆｉｎ、Ｒｈｏｄａｍｉｎｅｓ、Ｔｅｍｏｐｏｒｆｉｎ、Ｐｏｒｐｈｙｃｅｎｅｓ、Ｈｙｐｅｒｃｉｎなどがある。
【００１３】
前記の感光剤に適した光の波長域は５５０ｎｍ乃至８００ｎｍである。該波長域に強い発光スペクトルを持つ元素としてはＬｉ、Ｎａ、Ｋ等の元素が考えられる。本発明では、そのＰＤＴに利用する放電ランプは、該感光剤に適した波長域に強い発光スペクトルを持ち、該波長域の光を主に放射する発光元素としてＬｉ、Ｎａ、Ｋ、及びそれらの混合物を０．１μｍｏｌ／ｃｍ3 以上封入することで実現できることが新しく見出された。
【００１４】
図３に本発明の光照射装置に使用される光源について、その一例を示す。放電ランプ１は、内径８．７ｍｍ外径１１. ０ｍｍの略球状の石英ガラス製発光管１０１に一対の電極１０２を具備し、該発光管１０１内に、例えば、発光元素としてＬｉ、Ｎａ、Ｋ等のアルカリ金属をハロゲン化物の形で封入している。また、その他の封入物として希ガスを封入している。更に、必要に応じて水銀を封入しても良い。前記電極１０２は各々モリブデン箔１０３に溶接され該発光管１０１の両端で封止されており、該モリブデン箔に溶接された外部リード棒１０４を介して外部から給電している。前記発光管における電極間距離は１０ｍｍ以下が望ましい。
【００１５】
次に、図４〜７に基づいて、本発明の光照射装置に好適に使用される放電ランプの実施例について説明する。まず、Ｌｉに水銀を添加した放電ランプについて、図４にＰＤＴ用のフィルタで５５０ｎｍから８００ｎｍの範囲以外の光をろ過し、該光ファイバーからレンズヘッドを介して照射した場合のスペクトル分布を示す。
Ｌｉは前記感光剤の比較的大きな吸収係数の波長域である６００ｎｍから６４０ｎｍ、及び６６０ｎｍから７２０ｎｍの間に強い輝線スペクトルを持つ。特に、後者の原子共鳴スペクトル線は該ランプ点灯時の希ガスの高い圧力によるスペクトル線の圧力広がりが著しく、適用できる感光剤の選択幅が広がる。これは前記した他のアルカリ元素にもいえることである。Ｌｉランプの発光はＰＤＴ用に必要な長波長側の光としてＬｉの発光である波長６１０ｎｍの原子スペクトル線と波長６７０ｎｍの原子共鳴スペクトル線が圧力広がりにより広い幅を持ったスペクトル線の部分が利用可能である。該ランプにおけるＬｉの輝線スペクトルの放射強度はランプ中に封入された発光元素であるＬｉの量によって決まる。該Ｌｉの封入量が少なければ該輝線スペクトルの放射強度は低下し、封入量の増加に伴い放射強度も増加する。しかし、該Ｌｉをある程度以上の量封入すると該輝線スペクトル部分に自己吸収による放射強度の大きな低下が起こり、更には、ランプ中での未蒸発が発生し管壁に付着するなどにより、結果としてランプからの放射強度の低下が起きる。本発明において、該発光元素であるＬｉの量は０．１μｍｏｌ／ｃｍ3 以下であれば感光剤に十分吸収される該波長域の有効な発光が十分得られない。また、１００μｍｏｌ／ｃｍ3 以上では、前記したように該発光管管壁に未蒸発が発生し該未蒸発物質が管壁に付着するためランプからの放射光が阻害される。
【００１６】
更に、始動用として希ガスを封入しており、該希ガスの量としては好ましくは０．０３×１０5 Ｐａから０．７×１０5 Ｐａである。該希ガスの量は０．０３×１０5 Ｐａ以下であれば該ランプ点灯時にグロー放電からアーク放電への移行までに時間がかかり電極の損耗が激しく、結果としてランプ寿命が短くなる。また、該希ガスの量が０．７×１０5 Ｐａ以上になるとランプ始動性が悪くなり実用的でない。
Ｌｉランプに水銀を０．１μｍｏｌ／ｃｍ3 以上封入すれば、更に有用なＰＤＴ用の放電ランプとして使用できる。これは、該ランプ点灯時の水銀による高い圧力でＬｉの輝線スペクトルの発光波長幅が希ガス添加の場合の圧力広がり以上に広がり、Ｌｉのみ添加した場合の輝線スペクトルのピーク波長から離れた波長域に大きな吸光係数を持つ感光剤の活性種生成光化学反応を生じさせるといった利点が生ずるからである。この圧力広がりにより適用できる感光剤の種類を増やすことができる。本実施例ではＬｉに水銀を添加した場合について示したが、この効果は他の実施例で示すＬｉ以外のアルカリ金属を封入したランプについても同様である。また、水銀を添加することにより、ランプの動作電圧を調整することができる。更に、該水銀の添加により、電極等に高い電流が流れてランプ寿命が短くなるのを防ぐことができる。同時にランプ電流の低下は安定器を小型化、ひいては装置の小型化にも寄与できる。尚、水銀の代わりに希ガスを高圧力に封入しても同様な圧力広がりが現れる。
【００１７】
該Ｌｉ水銀ランプの発光はＰＤＴ用に必要な長波長側の光としてはＬｉの発光である波長６１０ｎｍの原子線と波長６７０ｎｍの共鳴線が圧力広がりにより広い幅を持ったスペクトル線の部分が利用可能である。
次に、本発明の光照射装置に使用されるランプの他の実施例として、Ｎａと水銀を封入したメタルハライドランプについて、図５にＰＤＴ用のフィルタで５５０ｎｍから８００ｎｍの範囲以外の光をろ過し、光ファイバーからレンズヘッドを介して照射した場合のスペクトル分布を示す。
【００１８】
また、本発明の光照射装置に使用されるランプの他の実施例として、Ｋと水銀を封入したメタルハライドランプについて、図６にＰＤＴ用のフィルタで５５０ｎｍから８００ｎｍの範囲以外の光をろ過し、該光ファイバーからレンズヘッドを介して照射した場合のスペクトル分布を示す。
更に、Ｌｉ、Ｎａ、Ｋの混合物を封入したＰＤＴ用に用いる放電ランプのひとつとして、Ｌｉ−Ｎａランプについて、図７にＰＤＴ用のフィルタで５５０ｎｍから８００ｎｍの範囲以外の光をろ過し、該光ファイバーからレンズヘッドを介して照射した場合のスペクトル分布を示す。
アルカリ金属を２種類以上封入することにより５５０ｎｍ乃至８００ｎｍの波長域での発光を１種類のみ封入した場合と比べて更に広げることができ、適用できる前記感光剤を増やすことができる。
【００１９】
前記実施例で示した、発光元素である水銀の封入量が０．１μｍｏｌ／ｃｍ3以下であれば感光剤に十分吸収される該波長域の有効な発光が得られない。また、通常１０００μｍｏｌ／ｃｍ3 以上では未蒸発が発生したり、点灯中のランプ内圧が高く成りすぎて発光管が破裂する危険性がある。水銀の封入量は該範囲内で発光量と所望の電圧から適宜選択される。
また、前記実施例に示した、各ランプに封入されたアルカリ金属は1 種類のみであるが、該アルカリ金属が２種類以上封入されていても良い。すなわち、Ｌｉ、Ｎａ、Ｋのうち少なくとも２種類以上を封入し、水銀を０．１μｍｏｌ／ｃｍ3 以上封入し、Ｎｅ、Ａｒ、Ｋｒ、Ｘｅの希ガスのうち少なくとも１種類以上を封入することができる。該アルカリ金属を２種類以上封入することにより１種類のみ封入した場合と比べて６００ｎｍ乃至８００ｎｍの波長域での発光を更に広げることができ、適用できる前記感光剤を増やすことができる。また、水銀を０．１μｍｏｌ／ｃｍ3 以上封入することによりＰＤＴ用のランプとして使用できる。
【００２０】
次に、前記実施例で示した、放電ランプに用いる発光管の材料について説明する。放電ランプの発光管材料としては石英ガラスが一般的に多く用いられている。しかし、前記実施例に示したようなＬｉ、Ｎａ、Ｋ、及びそれらの混合物を金属として封入する場合、該ランプの発光管材料に石英ガラスを用いると該金属によって石英ガラスが侵食され透過率の劣化や白濁等が起こり実用的でない。そのため、Ｌｉ、Ｎａ、Ｋ、及び混合物を金属として封入する場合、該発光管材料としては透光性セラミックが適している。また、該Ｌｉ、Ｎａ、Ｋ、及び混合物を金属としてではなくハロゲン化物の形で封入すれば該発光管に石英ガラスを使用できる。該ハロゲンの封入量はＬｉ、Ｎａ、Ｋ、及び混合物の封入ｍｏｌ数と同等又はそれ以上封入することが望ましく、例えば、前記封入金属の沃化物や臭化物の形で封入することができる。更に、場合によっては、過剰ハロゲンを封入しても良く、例えば、水銀の沃化物等の形で過剰ハロゲンを封入することができる。
【００２１】
実験例
次に、実験例を示して本発明の光線力学的治療用光照射装置の作用効果について具体的に説明する。
（１）試料の準備
１０％のウシ胎児血清を加えたＲＰＭＩ１６４０培地で継代したマウス胸腺リンパ系腫瘍細胞ＥＬ−４を５×１０5 個／ｍｌになるようにＲＰＭＩ１６４０培地を用いて希釈した。
希釈した細胞５ｍｌを半径２．５ｃｍのプラスチックシャーレに分取し、１０％の５−ａｍｉｎｏｌｅｖｕｌｉｎｉｃ  ａｃｉｄ生理食塩水（５−ＡＬＡ）を所定量加え、暗室で３時間放置した。
【００２２】
（２）照射実験
５５０ｎｍ乃至８００ｎｍの波長域内に比較的大きな吸収係数を持つ感光剤の吸収波長に適合した波長の光を放射する光源として、以下のランプを準備した。また、図１１に示した２種類のフィルタを組み合わせた。赤外線カットフィルタ（型式：ＨＡ−５０）とカラーフィルタ（型式：ＯＣＬＩ３０２）である。ＨＡ−５０は赤外領域の放射光を除去し、ＯＣＬＩ３０２は５５０ｎｍ以下の波長の光を除去するフィルタである。
【００２３】
（３）準備したランプ
ランプとして、以下の１）〜４）のランプを準備した。
発光管寸法（内径，外径）：内径８．７ｍｍ、外形１１ｍｍ
内容積：０．４ｃｍ3
ランプの種類：
１）ランプ１：
６００ｎｍ乃至６４０ｎｍ、及び６６０ｎｍ乃至７２０ｎｍの波長域の光を放射するために発光元素としてＬｉをＬｉＩの形で２ｍｇ封入し、水銀１４．５ｍｇと、希ガスとしてアルゴンを４×１０4 Ｐａ（３００Ｔｏｒｒ）封入した１５０Ｗのメタルハライドランプ
２）ランプ２：
６００ｎｍ乃至６４０ｎｍの波長域の光を放射するために発光元素としてＮａをＮａＩの形で２ｍｇ封入し、水銀１４．５ｍｇと、希ガスとしてアルゴンを４×１０4 Ｐａ封入した１５０Ｗのメタルハライドランプ
３）ランプ３：
５５０ｎｍ乃至７００ｎｍの波長域の光を放射するために発光元素としてＫをＫＩの形で２ｍｇ封入し、水銀１４．５ｍｇと、希ガスとしてアルゴンを４×１０4 Ｐａ封入した１５０Ｗのメタルハライドランプ
４）ランプ４：
発光元素としてＬｉとＮａをＮａＩの形で２ｍｇ、ＬｉＩの形で０．１ｍｇ封入し、水銀１４．５ｍｇと、希ガスとしてアルゴンを４×１０4 Ｐａ封入した１５０Ｗのメタルハライドランプ
【００２４】
（４）照射実験
上記１）〜４）のランプを光照射装置に組み込み、前記腫瘍細胞試料から距離１００ｍｍ、照射径φ５５ｍｍで照射した。
照射後、トリパンプルブルー溶液を加え、５分間放置後に血球計算盤を用いて細胞の生死を判別し、生存率を求めた。
まず、連続照射を行い、照射エネルギー増加による細胞の生存率の変化を調べた。その結果を図８に示す。横軸が照射エネルギー、縦軸が生存率である。照射エネルギーが増加するほど生存率は減少した。上記のランプにおいて、４）のＮａ−Ｌｉランプが最も殺細胞効果が大きいことが分かった。
【００２５】
次に、前記腫瘍細胞に対し、ランプからの放射光を連続して照射した場合と、所定の時間間隔で放射光を間欠照射した場合で比較実験を行った。
ランプとしては、前記２）のメタルハライドランプ、具体的には、石英ガラス製の放電容器内に、ＮａをＮａＩの形で２ｍｇ、水銀１４．５ｍｇと、希ガスとしてアルゴンを４×１０4 Ｐａを封入した１５０Ｗのメタルハライドランプを光照射装置に組み込み、前記腫瘍細胞試料から距離１００ｍｍ、照射径φ５５ｍｍで照射した。
【００２６】
照射実験は図９に示すように、１５分間の連続照射（１５分間ＯＮ）をしたときと、５分毎に５分間のインターバルをとって照射時間の合計が１５分間になるように間欠照射したときと、更に、５分間照射後に１０分間のインターバルをとって照射時間の合計が同じく１５分間になるように間欠照射したときの腫瘍細胞の生存率を比較した。
その結果を図１０に示す。連続照射においては、生存率は約９０％であったが、５分毎に５分間のインターバルをとった間欠照射においては、生存率は約５４％、５分間照射後に１０分間のインターバルをとった間欠照射においては、生存率は約４６％であった。
このように、間欠照射の方が連続照射より殺細胞効果が高いことが分かった。この理由について考察すると、ＰＤＴにおいては光照射によって腫瘍細胞に溶存する酸素が消費されるが、このときにインターバルを与えることにより、細胞中に酸素が補給されるためにＰＤＴの効果が上昇したものと考えられる。
【００２７】
更に、５分間照射後に２０分間のインターバルをとって照射時間の合計が同じく１５分間になるように間欠照射を行った結果、細胞の生存率は約４９％であり、５分間照射後に１０分間のインターバルをとった間欠照射の場合とほぼ同じであり、生存率の減少はなかった。
この理由については、１０分以上放置すると細胞内酸素濃度が飽和するため、それ以上効果が向上しなかったものと考えられる。
【００２８】
【発明の効果】
以上詳述したように、本発明により、ＰＤＴ用に用いられる特定の感光剤の持つ感光波長に対して効率良い発光を持つ放電ランプを使用することで、電源を含めた光線力学的治療用装置全体を小型化でき、可搬性の軽量な装置を提供することができる。更に、正常組織に光が照射されたとしてもレーザ等と比べて安全であり、取り扱いが簡便である。照射と非照射のシーケンスを組めるメタルハライドランプを光源とした装置を作製し、インターバル照射により光線力学的治療を行うことで、連続照射を行ったときと比べて、飛躍的に腫瘍細胞の壊死率が向上する。
【図面の簡単な説明】
【図１】本発明の光照射装置の構成例の概略を示す。
【図２】本発明の光照射装置のランプハウス内の構成例を示す。
【図３】本発明の光照射装置に使用される放電ランプの構成例を示す。
【図４】Ｌｉを封入した本発明の光照射装置用放電ランプの発光スペクトルを示す。
【図５】Ｎａを封入した本発明の光照射装置用放電ランプの発光スペクトルを示す。
【図６】Ｋを封入した本発明の光照射装置用放電ランプの発光スペクトルを示す。
【図７】Ｎａ、Ｌｉを封入した本発明の光照射装置用放電ランプの発光スペクトルを示す。
【図８】各ランプの光を照射した場合の腫瘍細胞の生存率を示す。
【図９】連続照射と間欠照射の説明図である。
【図１０】間欠照射と生存率の関係を示す。
【図１１】本発明の照射装置に使用されるフィルタの透過特性を示す。
【符号の説明】
１      放電ランプ
１０１  発光管
１０２  電極
１０３  モリブデン箔
１０４  外部リード棒
２      集光ミラー
３      点灯用電源
４      シャッター
５      カラーフィルタ
６      赤外線カットフィルタ
７      ソレノイド
８      ソレノイド用電源
９      タイマー
１０    ファイバー
１１    プラグコード
１２    スタンドユニット
１３    レンズユニット
１４    冷却ファン
２０    ランプハウス
３０    光照射装置
【図１】
0004319366.tif 000002
【図２】
0004319366.tif 000003
【図３】
0004319366.tif 000004
【図４】
0004319366.tif 000005
【図５】
0004319366.tif 000006
【図６】
0004319366.tif 000007
【図７】
0004319366.tif 000008
【図８】
0004319366.tif 000009
【図９】
0004319366.tif 000010
【図１０】
0004319366.tif 000011
【図１１】
0004319366.tif 000012